(57)【特許請求の範囲】
【請求項１】
悪臭発生物質で汚染された地下排水槽またはマンホールの内壁や汚水面上のスカムからの悪臭発生を防止する方法であって、それら地下排水槽の水面の上またはマンホールの汚水の水面の上に、悪臭発生物質処理能力を持つ光合成細菌および繊維素分解菌からなる微生物を含有する粉体等を収容した水浸透性の袋を吊しておくことを特徴とする悪臭発生防止方法。
【請求項２】
悪臭発生物質で汚染されることが予想される地下排水槽またはマンホールの内壁や汚水面上のスカムからの悪臭発生を予防する方法であって、それら地下排水槽の水面の上またはマンホールの汚水の水面の上に、悪臭発生物質処理能力を持つ光合成細菌および繊維素分解菌からなる微生物を含有する粉体等を収容した水浸透性の袋を吊しておくことを特徴とする悪臭発生予防方法。
【発明の詳細な説明】
【０００１】
【発明の属する技術分野】
本発明は、下水道管や地下排水槽、あるいはマンホール等における悪臭発生防止方法および悪臭発生予防方法に関する。
【０００２】
【従来の技術】
下水道管や地下排水槽は通常地下に埋設、敷設され、また、その観察、管理、補修等のためマンホールが設けられている。これらは公共施設として完備されているが、夏場などでは悪臭が発生し、住民や歩行者などからの苦情が寄せられる場合が多い。その悪臭は卵の腐ったような臭いであり、その原因の詳細は不明であるが、主な原因物質は硫化水素とされている。
【０００３】
硫化水素は、単に悪臭によって住民に不快感を与えるのみでなく、その濃度や経過時間によっては、人々の健康にも影響を及ぼす非常に有害な物質である。のみならず、硫化水素は大気中の酸素と反応結合して硫酸となり、チオバチルス菌がコンクリート製等の排水設備や下水道管を腐食させる原因にもなっている。また、マンホールの中は、油脂類やトイレットペーパーその他の汚物が固化したスカムが溜っており、圧力ポンプなどによる下水道管や地下排水槽等の浄化作業も大変困難にしている。
【０００４】
【発明が解決しようとする課題】
本発明は、下水道管等における以上のような諸問題点に鑑みなされたものであり、下水道管の表面や地下排水槽の内壁、その周辺、あるいはマンホール等に付着した悪臭発生物質を分解し、無臭化することにより下水道管等の悪臭を防止する新規且つ有用な下水道管等の悪臭防止方法および悪臭発生予防方法を提供することを目的とする。
【０００５】
【課題を解決するための手段】
本発明は、悪臭発生物質で汚染された下水道管、地下排水槽、あるいはそれらに付設されたマンホール等における悪臭発生を防止する方法であって、下水道管の表面、地下排水槽中やその側壁、マンホールまたはそれらの周辺に悪臭発生物質処理能力を持つ微生物を含有する粉体等を散布するか、水浸透性の袋に該粉体等を収容して吊しておくか、またはその溶液または懸濁液を噴霧することにより、該悪臭発生物質を分解させ、無臭化することを特徴とする下水道管等における悪臭発生防止方法を提供する。
【０００６】
また、本発明は、悪臭発生物質で汚染されることが予想される下水道管、地下排水槽、あるいはそれらに付設されたマンホール等における悪臭発生を予防する方法であって、下水道管の表面、地下排水槽中やその側壁、マンホールまたはそれらの周辺に悪臭発生物質処理能力を持つ微生物を含有する粉体等を散布するか、水浸透性の袋に該粉体等を収容して吊しておくか、またはその溶液または懸濁液を噴霧することにより、悪臭発生物質による無臭発生を予防することを特徴とする下水道管等における悪臭発生予防方法を提供する。
【０００７】
【発明の実施の形態】
本発明は、下水道管等における悪臭発生を防止する方法および悪臭発生を予防する方法であり、悪臭発生物質で汚染された、あるいは悪臭発生物質で汚染されることが予想される下水道管等を無臭化処理する方法である。そして、本発明においては、その無臭化処理用に悪臭発生物質処理能力を持つ微生物を含有する粉体または溶液を用いることを特徴とする。本発明は水道管等、すなわち水道管の表面、その周辺、あるいはコンクリート製等の排水設備の内外壁面やそれらのマンホール等に適用される。
【０００８】
本発明においては、悪臭発生物質処理能力を持つ微生物として、光合成細菌や繊維素分解菌などの微生物の集合体を用いる。光合成細菌は光のあるところでは光を利用して、光の無いところでは酸素を利用して光合成を行い、硫化水素や有機物を分解して成育し生存する細菌である。本発明で用いる光合成細菌としては、そのうち特に紅色硫黄細菌〔Ｐ・Ｓ・Ｂ（Ｐｕｒｐｌｅ  Ｓｕｌｆｕｒ  Ｂａｃｔｅｒｉａ）〕が有用である。
また、繊維素分解菌〔＝セルロース分解菌（Ｃ・Ｆ・Ｂ）〕は、有機性窒素を利用して炭素源の繊維素を分解する細菌である。この繊維素分解菌は単一菌ではなく、各種好気性菌、嫌気性菌の混在菌である。本発明においてはこの繊維素分解菌を用いる。
【０００９】
これら光合成細菌や繊維素分解菌は河川や湖沼などの泥中に生息しているので、これを採取し培養することで製造される。本発明においては、こうして得られた光合成細菌や繊維素分解菌を含む微生物を集合体として各種粉体に固定化しておく。粉体としては好ましくはゼオライトが用いられる。粉体への固定化後、粒状、顆粒状、あるいは錠剤状等に造粒、成形してもよい。
【００１０】
その使用に際しては、そのように各種粉体に固定化した微生物を、悪臭が発生している箇所や悪臭発生が予想される箇所に、それら粉状、粒状、顆粒状、錠剤状等のままで散布するか、あるいは水に懸濁あるいは溶解して噴霧するなど適宜の態様、手法で行うことができる。また、地下排水槽中の汚水等の汚水に適用する場合などでは、それら粉体、粒状、顆粒、錠剤状としたものを水浸透性の袋に収容し、該汚水中あるいはその水面上に吊しておくことで使用してもよい。
【００１１】
光合成細菌や繊維素分解菌などの細菌は、硫化水素や繊維質（浮遊汚泥：スカム）を栄養源としているため、本発明においては、光合成細菌および繊維素分解菌を含む微生物にこれらを食わせることで硫化水素を低減させ、繊維質を分解する。従来、薬品を用いて硫化水素を分解する方法があるが、この方法で用いられる薬品は一過性であるため常時注入する（すなわち逐次新たな薬品を使用する）必要があり、コスト面でも膨大な費用がかかるが、本発明によれば、常時増殖する微生物の集合体を用いるため、長期間にわたり悪臭の発生を防止し、また悪臭発生を予防することができる。
【００１２】
また、上記薬品を用いて硫化水素を分解する場合には、使用薬品自体により環境を汚染する場合があり得る。これに対して、本発明は、微生物を利用するものであるため、薬品による場合のような問題はなく、環境にやさしい悪臭発生防止方法および悪臭発生予防方法である。
【００１３】
本発明は、悪臭発生物質それ自体を分解して悪臭発生を防止し、また悪臭発生物質で汚染され、現に発生している悪臭を無臭化処理して悪臭発生を防止する場合のほか、悪臭発生物質で汚染されることが予想される下水道管等に対して適用し、悪臭発生を未然に防ぐことができる。すなわち、本発明では微生物を用いることから、一度適用しておけばよいので、上記と同様にして、悪臭発生物質で汚染されることが予想される下水道管等に対して、予め悪臭発生物質処理能力を持つ微生物を含有する粉体（粒状や顆粒状等として用いる場合はそれらの形で）又は溶液を散布ないし噴霧しておくことにより、悪臭発生を未然に防ぐことができる。
【００１４】
【実施例】
以下、実施例に基づき本発明をさらに詳しく説明するが、本発明が実施例に限定されないことはもちろんである。
【００１５】
荒川河川底から採取した汚泥を培養し、光合成細菌と繊維素分解菌を増殖させた。こうして得られた光合成細菌と繊維素分解菌を含む微生物集合体を市販のゼオライトの粉体と混合した後、自然乾燥により乾燥させ粉体を得た。この乾燥粉体を東京銀座地区の地下排水槽のマンホールに散布した。この乾燥粉体を散布する前の当該マンホールは、汚水面が当該マンホールの表面下約１ｍの位置にあり、その表面を目視により観察したところ、スカム（油脂やトイレットペーパー、その他の汚物が固化したもの）が塊状に浮いており、また硫化水素による悪臭が認められた。
【００１６】
上記乾燥粉体散布時点以降、１日後、２日後、４日後・・・と、当該マンホールを目視により観察したところ、スカム上面が菌の繁殖により徐々に変色し、スカムが逐次塊状を解かれていくことが観察された。また、硫化水素による悪臭も徐々に弱くなり、４日後には硫化水素による悪臭は認められなくなった。
【００１７】
【発明の効果】
本発明によれば、下水道管や地下排水槽、あるいはそれらのマンホール等における悪臭発生を防止し、またその発生を未然に防ぐことができる。本発明によれば、悪臭発生物質で汚染された、あるいは悪臭発生物質で汚染されることが予想されるそれら施設に特定微生物を含有する粉体等を散布するか、またはその溶液を噴霧するだけでよいので簡易であり、実用上も非常に有用である。